(57)【要約】【課題】回転仕切体と冷蔵庫本体との間の隙間への冷気の進入を抑えることで、ヒータ電力の消費増大を抑制する。【解決手段】観音式の左右一対の開閉扉１５，１７のうち左側の開閉扉１５に、閉じた状態の開閉扉１５，１７相互間の扉隙間Ａを覆う回転仕切体２７を取り付ける。回転仕切体２７は、開閉扉１５の開閉時に上下方向を軸心として回転する。回転仕切体２７の上部及び下部と冷蔵庫本体３との間には、隙間Ｂ及びＣがそれぞれ形成される。開閉扉１５を閉じたときにおいて、回転仕切体２７の上部における冷蔵室奥側に仕切体側上部パッキン３７を設け、冷蔵庫本体３側には、下方に向けて突出する遮蔽突起３５ｂを設ける。回転仕切体２７の下部における冷蔵室奥側に仕切体側下部パッキン３９を設ける。【選択図】図４
2019032096.tif 000002
【特許請求の範囲】
【請求項１】
内部に貯蔵室を備える冷蔵庫本体と、
前記冷蔵庫本体の前面開口部を開閉する観音開き式の左右の開閉扉と、
前記左右の開閉扉のうちの一方に上下方向を軸心として回転自在に設けられ、前記左右の開閉扉が閉じたときに、当該左右の開閉扉相互間の扉隙間を前記貯蔵室側で閉塞する回転仕切体と、を有し、
前記回転仕切体が前記扉隙間を閉塞した状態で、前記回転仕切体の上部と下部との少なくともいずれか一方と、前記冷蔵庫本体との間の隙間を覆う遮蔽部材が、前記回転仕切体の前記貯蔵室側において、前記回転仕切体と前記冷蔵庫本体との少なくともいずれか一方に設けられていることを特徴とする冷蔵庫。
【請求項２】
前記遮蔽部材は、前記回転仕切体の上部と下部との少なくともいずれか一方に設けられ、
前記遮蔽部材は、前記回転仕切体に取り付けられる硬質樹脂からなる取付部と、前記取付部に一体化された軟質樹脂からなるシール部と、を有することを特徴とする請求項１に記載の冷蔵庫。
【請求項３】
前記シール部は易変形部を備えていることを特徴とする請求項２に記載の冷蔵庫。
【請求項４】
前記易変形部はスリットによって形成されていることを特徴とする請求項３に記載の冷蔵庫。
【請求項５】
前記易変形部は凹凸によって形成されていることを特徴とする請求項３に記載の冷蔵庫。
【請求項６】
前記遮蔽部材は、前記貯蔵室の上部に、下方に向けて突出ようにして設けられていることを特徴とする請求項１に記載の冷蔵庫。
【請求項７】
前記貯蔵室の上部に、前記回転仕切体が回転するときのガイドとなるガイド部材が設けられ、
前記遮蔽部材は、前記ガイド部材に、下方に向けて突出ようにして設けられていることを特徴とする請求項６に記載の冷蔵庫。
【請求項８】
前記遮蔽部材は、前記貯蔵室の下部の底面に、上方に向けて突出ようにして設けられていることを特徴とする請求項１に記載の冷蔵庫。
【請求項９】
前記遮蔽部材は、前記貯蔵室の底部において、該底部の上面と同一面を形成する非遮蔽位置と、該非遮蔽位置から一部が上方に向けて突出することで前記隙間を覆う遮蔽位置との間を移動自在であり、
前記遮蔽部材に対して互いに磁力により吸着自在な吸着部材が、前記回転仕切体に設けられ、
前記回転仕切体を備える前記開閉扉が閉じたときに、前記非遮蔽位置の前記遮蔽部材が、前記吸着部材に引き寄せられて吸着することで、前記遮蔽位置となることを特徴とする請求項１に記載の冷蔵庫。
【請求項１０】
前記遮蔽部材は、前記回転仕切体に設けられた仕切体側遮蔽部材と、前記冷蔵庫本体側に設けられた本体側遮蔽部材と、を有し、
前記仕切体側遮蔽部材と前記本体側遮蔽部材とは、それぞれの先端側が上下方向で互いにオーバーラップしていることを特徴とする請求項１に記載の冷蔵庫。
【請求項１１】
前記仕切体側遮蔽部材と前記本体側遮蔽部材とは、互いに接触していることを特徴とする請求項１０に記載の冷蔵庫。
【発明の詳細な説明】
【技術分野】
【０００１】
本発明は、観音開き式の開閉扉を備える冷蔵庫に関する。
【背景技術】
【０００２】
観音開き式の開閉扉を備える冷蔵庫は、特許文献１に記載されているように、左右一対の開閉扉を閉じたときに形成される相互間の扉隙間を、一方の開閉扉に取り付けてある回転仕切体によって塞ぐようにしている。回転仕切体は、上下方向を軸心として一方の開閉扉に対して回転自在に取り付けられている。
【０００３】
この場合、開閉扉を閉じたときに、回転仕切体の上下両端と冷蔵庫本体との間に隙間が形成される。このため、特許文献１に記載された冷蔵庫では、上記した隙間を覆うために、回転仕切体の冷蔵庫前面側にシール材（軟質パッキング）を取り付けている。
【先行技術文献】
【特許文献】
【０００４】
【特許文献１】特開２０００−１６１８４１号公報
【発明の概要】
【発明が解決しようとする課題】
【０００５】
ところで、回転仕切体の冷蔵庫前面側には、結露を抑えるためにヒータを内蔵する必要がある。ところが、上記した特許文献１に記載された冷蔵庫は、シール材が回転仕切体の冷蔵庫前面側に位置しているために、貯蔵室内の冷気が上記した隙間に入り込み、扉に設けられたガスケットが冷気に晒されることになる。その結果、ガスケットに結露が発生しやすくなり、結露を抑えるためにヒータの消費電力が増大してしまう。
【０００６】
そこで本発明は、回転仕切体と冷蔵庫本体との間の隙間への冷気の進入を抑えることで、ヒータ電力の消費増大を抑制することを目的としている。
【課題を解決するための手段】
【０００７】
本発明の実施の形態の冷蔵庫は、内部に貯蔵室を備える冷蔵庫本体と、前記冷蔵庫本体の前面開口部を開閉する観音開き式の左右の開閉扉と、前記左右の開閉扉のうちの一方に上下方向を軸心として回転自在に設けられ、前記左右の開閉扉が閉じたときに、当該左右の開閉扉相互間の扉隙間を前記貯蔵室側で閉塞する回転仕切体と、を有する。前記回転仕切体が前記扉隙間を閉塞した状態で、前記回転仕切体の上部と下部との少なくともいずれか一方と、前記冷蔵庫本体との間の隙間を覆う遮蔽部材が、前記回転仕切体の前記貯蔵室側において、前記回転仕切体と前記冷蔵庫本体との少なくともいずれか一方に設けられている。
【図面の簡単な説明】
【０００８】
【図１】本発明の実施形態に係わる冷蔵庫の正面図である。
【図２】図１の冷蔵庫に対し右側の開閉扉を省略した正面図である。
【図３】図１の冷蔵庫の回転仕切体を備える左側の開閉扉の開閉動作を示す平面図である。
【図４】図２のＤ−Ｄ断面図である。
【図５】図４のＥ部を拡大した断面図である。
【図６】図４のＦ部を拡大した断面図である。
【図７】回転仕切体の上部に取り付けた仕切体側上部パッキン周辺の斜視図である。
【図８】仕切体側上部パッキンの斜視図である。
【図９】回転仕切体の下部に取り付けた仕切体側下部パッキン周辺の斜視図である。
【図１０】仕切体側下部パッキンの斜視図である。
【図１１】回転仕切体の斜視図である。
【図１２】仕切体側下部パッキンの変形例を示す、図９に対応する斜視図である。
【図１３】仕切体側下部パッキンの他の変形例を示す、図９に対応する斜視図である。
【図１４】仕切体側下部パッキンの別の例を示す、図９に対応する斜視図である。
【図１５】仕切体側下部パッキンのさらに別の例を示す、図９に対応する斜視図である。
【図１６】図５に示した遮蔽突起の他の例を示す断面図である。
【図１７】図１６に対し、仕切体側上部パッキンを遮蔽突起に接触させた例を示す断面図である。
【図１８】冷蔵室の底面に下部遮蔽突起を設けた例を示す断面図である。
【図１９】冷蔵室の底面に可動遮蔽部材を設けた例を示す、破断面を含む斜視図である。
【図２０】図１９の可動遮蔽部材周辺を冷蔵室の内部から見た斜視図である。
【図２１】図１９に対し、回転仕切体を備える左側の開閉扉が開放した状態を示す、破断面を含む斜視図である。
【発明を実施するための形態】
【０００９】
以下、本発明の実施の形態を図面に基づき説明する。
【００１０】
図１に示す本発明の第１の実施形態に係わる冷蔵庫１は、冷蔵庫本体３の内部に貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。なお、以下の説明での「前後方向」は、図１中で紙面表側（冷蔵庫前面側）を前、紙面裏側（冷蔵庫奥側）を後とした前後方向であり、「左右方向」は図１中の冷蔵庫前面側から見て左右方向である。
【００１１】
冷蔵室５の前面には、冷蔵室５の前面開口部を開閉する観音開き式の左右一対の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。
【００１２】
図２は、図1に示す冷蔵室５の右側の開閉扉１７を省略した冷蔵庫１の正面図で、左側の開閉扉１５の図示しないヒンジと反対側の端縁部には、上下方向に長い柱形状の回転仕切体２７を取り付けている。図２に示すように、回転仕切体２７の上下方向の長さは、開閉扉１５の上下方向の長さより短く、開閉扉１５の上下両端が回転仕切体２７よりも上下にそれぞれ僅かに突出している。図１では、左右の開閉扉１５，１７相互間に僅かな扉隙間Ａが形成されており、扉隙間Ａかから回転仕切体２７の一部が見えている。
【００１３】
回転仕切体２７は、図３に示すように、仕切体本体２９と、開閉扉１５の内側面１５ａに取り付けた板状のヒンジ部３１とを備えている。ヒンジ部３１は、仕切体本体２９の長手方向の両端部付近にそれぞれ設けてある。ヒンジ部３１は支持アーム３１ａを備え、支持アーム３１ａの先端に仕切体本体２９の一側部が回転支持軸３３を介して回転自在に連結されている。仕切体本体２９は、開閉扉１５を閉じた状態で冷蔵室５内の上下方向の略全長にわたり延在する。開閉扉１５を閉じた状態で、仕切体本体２９の上端及び下端と、冷蔵室５の上部及び下部との間に、それぞれ図２に示す隙間Ｂ，Ｃが形成される。隙間Ｂ，Ｃを後述する遮蔽部材によって覆う。
【００１４】
仕切体本体２９は、図３の二点鎖線で示す開閉扉１５が開いたときに、内側面１５ａに近接した格納状態に格納される。仕切体本体２９は、図３の実線で示す開閉扉１５が閉じた状態では、格納状態に対し、内側面１５ａから離間するようにして開閉扉１５に対して９０度回転し、扉隙間Ａを閉塞する突出状態となる。このとき、仕切体本体２９は、回転支持軸３３側の前面側が、開閉扉１５の内面に略接触し、回転支持軸３３と反対側の前面側が、閉じた状態の右側の開閉扉１７の内面に略接触する。
【００１５】
図３に示すように、仕切体本体２９の上端面には、円弧形状のガイド溝２９ａを形成している。ガイド溝２９ａは、回転支持軸３３と反対側の端部が開口している。一方、図２に示すように、突出状態の仕切体本体２９の上端面に対向する部位の冷蔵庫本体３の下面には、ガイド部材３５を取り付けている。図３にはガイド部材３５を二点鎖線で示している。ガイド部材３５の前方側の下面には、図５に示すように、下方に向けて突出するガイド突起３５ａを形成している。
【００１６】
開閉扉１５を、図３の二点鎖線で示す開放状態（仕切体本体２９は格納状態）から閉じる動作を行うと、ガイド突起３５ａが仕切体本体２９のガイド溝２９ａに入り込む。ガイド突起３５ａがガイド溝２９ａに入り込んだ後、さらにガイド溝２９ａ内を相対移動することで、仕切体本体２９は、図３中で時計回り方向に回転支持軸３３を中心として回転し、実線で示す突出状態となる。なお、仕切体本体２９は、図２０に示すねじりコイルスプリング３４によって格納状態となる方向に押し付けられている。
【００１７】
開閉扉１５，１７は、外周縁の内面側にガスケット１６，１８を全周にわたり取り付けてあり、開閉扉１５，１７を閉じた状態で、ガスケット１６，１８の一部が回転仕切体２７の前面に接触する。ガスケット１６，１８の他の部位は、冷蔵庫本体３の外周縁に接触する。
【００１８】
次に、前述した図２に示す上下の隙間Ｂ，Ｃを閉塞する遮蔽部材について説明する。
【００１９】
図４のＥ部の拡大図である図５に示すように、仕切体本体２９の上部の冷蔵室５側に、仕切体側上部パッキン３７を取り付けている。仕切体側上部パッキン３７は、図７、図８に示すように、硬質ポリ塩化ビニル（ＰＶＣ）からなる取付部としての係合部３７ａと、軟質ポリ塩化ビニルからなるシール部としてのパッキン本体３７ｂとを備え、これらを二色成形によって一体化している。なお、係合部３７ａは硬質の樹脂材であればよく、パッキン本体３７ｂは軟質の樹脂材であればよく、いずれもポリ塩化ビニルに限ることはない。なお、係合部３７ａとパッキン本体３７ｂとを同材質としてもよい。仕切体側上部パッキン３７は、前述した図２に示す上部の隙間Ｂを回転仕切体２７の冷蔵室５側で覆う遮蔽部材を構成する。
【００２０】
係合部３７ａは、パッキン本体３７ｂが接合される端壁３７ａ１と、端壁３７ａ１の上下各端部に対して略直角に連続する上壁３７ａ２及び下壁３７ａ３とを備えている。上壁３７ａ２及び下壁３７ａ３の各先端には、互いに対向する方向に突出する係合爪３７ａ４，３７ａ５を形成している。係合部３７ａは、端壁３７ａ１と反対側が開口する係合凹部３７ａ６を備えている。係合部３７ａは、図５中で紙面に直交する方向に長く形成され、図７に示すように仕切体本体２９の幅よりやや短く形成している。パッキン本体３７ｂは、係合部３７ａの長手方向に長い長方形状であり、長手方向の長さが係合部３７ａの長手方向の長さと同等である。
【００２１】
図５、図７に示すように、開閉扉１５を閉じた状態で、仕切体本体２９の上部の冷蔵室５側には、断面略Ｔ字形状の係合凸部２９ｂを形成してある。係合凸部２９ｂに仕切体側上部パッキン３７の係合凹部３７ａ６を係合させることで、仕切体側上部パッキン３７が仕切体本体２９に取り付けられる。パッキン本体３７ｂは、開閉扉１５を閉じた状態で、係合部３７ａの端壁３７ａ１から、図５中で右斜め上方のガイド部材３５の後部付近に向けて突出した状態となる。
【００２２】
図５に示すように、ガイド部材３５の後部付近には、下方に向けて突出する遮蔽部材としての遮蔽突起３５ｂを設けてある。したがって、パッキン本体３７ｂは、開閉扉１５を閉じた状態で、遮蔽突起３５ｂに向けて突出している。遮蔽突起３５ｂは、前部傾斜面３５ｂ１と、前部傾斜面３５ｂ１の下端から後方に向けて延在する下面３５ｂ２と、下面３５ｂ２の後端から上方やや後方に向けて傾斜する後部傾斜面３５ｂ３とを備える。遮蔽突起３５ｂは、開閉扉１５を閉じた状態で、前部傾斜面３５ｂ１と下面３５ｂ２との境界付近に向けて突出している。
【００２３】
図５に示すように、遮蔽突起３５ｂの下面３５ｂ２の上下方向位置は、パッキン本体３７ｂの先端よりも上方で、かつ、仕切体本体２９の上面２９ｃよりも下方となっている。すなわち、下面３５ｂ２は、上下方向位置に関し、パッキン本体３７ｂと仕切体本体２９の上面２９ｃとの間に位置する。開閉扉１５を閉じた状態で、遮蔽突起３５ｂは、パッキン本体３７ｂよりも後方（図５中で右側）に位置し、パッキン本体３７ｂと遮蔽突起３５ｂとは離間している。なお、パッキン本体３７ｂと遮蔽突起３５ｂとは接触していてもよい。パッキン本体３７ｂは、遮蔽突起３５ｂに対して離間していることで、接触する場合に比較して劣化を抑制できる。
【００２４】
ガイド部材３５は、図２に略左半分を破線で示すように、同様に略左半分を破線で示している回転仕切体２７よりも左右方向の長さが長く、図２の正面から見て回転仕切体２７に対し左右両側が左右方向に突出している。遮蔽突起３５ｂは、ガイド部材３５の左右方向（図５中で紙面に直交する方向）の略全長にわたり設けてある。したがって、遮蔽突起３５ｂの左右方向の長さは、仕切体側上部パッキン３７の左右方向の長さより長い。
【００２５】
図４のＦ部の拡大図である図６に示すように、仕切体本体２９の下部の冷蔵室５側に、仕切体側下部パッキン３９を取り付けている。仕切体側下部パッキン３９は、図９、図１０に示すように、硬質ポリ塩化ビニル（ＰＶＣ）からなる取付部としての係合部３９ａと、軟質ポリ塩化ビニルからなるパッキン本体３９ｂとを備え、これらを二色成形によって一体化している。なお、係合部３９ａは硬質の樹脂材であればよく、パッキン本体３９ｂは軟質の樹脂材であればよく、いずれもポリ塩化ビニルに限ることはない。仕切体側下部パッキン３９は、前述した図２に示す下部の隙間Ｃを回転仕切体２７の冷蔵室５側で覆う遮蔽部材を構成する。
【００２６】
係合部３９ａは、上壁３９ａ１と、下壁３９ａ２と、上壁３９ａ１及び下壁３９ａ２の一方の端部同士を接続する端壁３９ａ３とを備えている。下壁３９ａ２の端壁３９ａ３側付近は湾曲しており、湾曲している部分の端壁３９ａ３側に、パッキン本体３９ｂを接合している。下壁３９ａ２の先端側の内面には、係合突起３９ａ４を設けている。
【００２７】
係合部３９ａは、端壁３９ａ３と反対側が開口して係合凹部３９ａ５を備えている。係合部３９ａは、図６中で紙面に直交する方向に長く形成され、図９に示すように仕切体本体２９の幅よりやや短く形成している。パッキン本体３９ｂは、係合部３９ａの長手方向に長い長方形状であり、長手方向の長さが係合部３９ａの長手方向の長さと同等である。
【００２８】
図６、図９に示すように、開閉扉１５を閉じた状態で、仕切体本体２９の下部の冷蔵室５側には、先端に下方に向けて突出する係合爪２９ｄを形成してある。係合爪２９ｄを、仕切体側下部パッキン３９の係合凹部３９ａ５に挿入して係合突起３９ａ４に係合させることで、仕切体側下部パッキン３９が仕切体本体２９に取り付けられる。このとき、仕切体側下部パッキン３９の上壁３９ａ１が、仕切体本体２９に形成してある凹部２９ｅに挿入される。
【００２９】
パッキン本体３９ｂは、開閉扉１５を閉じた状態で、係合部３９ａから、図６中で右斜め下方の冷蔵室５内の底面５０に向けて突出した状態となる。このとき、パッキン本体３９ｂの先端は底面５０に接触して弾性変形する。なお、パッキン本体３９ｂと底面５０とは、相互間の隙間が僅かであれば、接触せずに離間していてもよい。
【００３０】
図１１に示すように、仕切体側上部パッキン３７及び仕切体側下部パッキン３９は、回転仕切体２７の同じ側の面に取り付けられ、仕切体側上部パッキン３７は上部に位置し、仕切体側下部パッキン３９は下部に位置している。仕切体側上部パッキン３７は、パッキン本体３７ｂが斜め上方に向けて突出し、仕切体側下部パッキン３９は、パッキン本体３９ｂが、仕切体側上部パッキン３７とは逆に斜め下方に向けて突出している。
【００３１】
次に、第１の実施形態の作用効果を説明する。
【００３２】
第１の実施形態は、内部に冷蔵室５を備える冷蔵庫本体３と、冷蔵庫本体３の前面開口部を開閉する観音開き式の左右の開閉扉１５，１７と、開閉扉１５，１７のうちの一方の開閉扉１５に上下方向を軸心として回転自在に設けられ、開閉扉１５，１７が閉じたときに、開閉扉１５，１７相互間の扉隙間Ａを閉塞する回転仕切体２７と、を有する。
【００３３】
回転仕切体２７が扉隙間Ａを閉塞した状態で、回転仕切体２７の上部及び下部と、冷蔵庫本体３との間の隙間Ｂ及びＣをそれぞれ覆う仕切体側上部パッキン３７及び仕切体側下部パッキン３９が、回転仕切体２７の冷蔵室５側に設けられている。さらに、冷蔵庫本体３側のガイド部材３５には、下方に向けて突出する遮蔽突起３５ｂが設けられている。
【００３４】
ここで、図１に示すように、左右の開閉扉１５，１７を閉じた状態では、開閉扉１５，１７相互間の扉隙間Ａの上下方向の略全域が回転仕切体２７によって塞がれる。このとき、回転仕切体２７の上部及び下部と冷蔵庫本体３との間には、開閉時の干渉を防ぐために図２に示す隙間Ｂ，Ｃが形成される。しかし、仕切体側上部パッキン３７及び遮蔽突起３５ｂが、冷蔵室５内の冷気の隙間Ｂへの進入を抑制し、仕切体側下部パッキン３９が、冷蔵室５内の冷気の隙間Ｃへの進入を抑制する。
【００３５】
開閉扉１５，１７が閉じた状態での回転仕切体２７の前面側の内部には、図５、図６に示す電気ヒータ４１を内蔵している。電気ヒータ４１は、図３に示す開閉扉１５，１７のガスケット１６，１８と、回転仕切体２７との接触部周辺の結露を防ぐためのものである。
【００３６】
その際、本実施形態では、冷蔵室５内の冷気の隙間Ｂ，Ｃへの進入を抑制しているため、ガスケット１６，１８側への冷気の進入を抑制でき、ガスケット１６，１８が冷気によって冷却されるのを抑制できる。これにより、電気ヒータ４１は、ガスケット１６，１８が冷気によって冷却された場合に比較して、消費電力を低く抑えることができる。ガスケット１６，１８が冷気によって冷却されてしまうと、ヒータ温度を高めるために消費電力が増大してしまう。
【００３７】
本実施形態は、仕切体側上部パッキン３７が、回転仕切体２７に取り付けられる硬質樹脂からなる係合部３７ａと、係合部３７ａに一体化された軟質樹脂からなるパッキン本体３７ｂとを有する。同様にして、仕切体側下部パッキン３９が、回転仕切体２７に取り付けられる硬質樹脂からなる係合部３９ａと、係合部３９ａに一体化された軟質樹脂からなるパッキン本体３９ｂとを有する。
【００３８】
この場合、回転仕切体２７を備える開閉扉１５を閉じたときに、パッキン本体３７ｂ，３９ｂが冷蔵庫本体３に接触して密閉性を高めるような構造であっても、パッキン本体３７ｂ，３９ｂは接触状態を維持しながら弾性変形する。パッキン本体３７ｂ，３９ｂが弾性変形することによって、開閉扉１５の開閉が円滑になされ、パッキン本体３７ｂ，３９ｂが冷蔵庫本体３に接触したときの擦れ音もより小さく抑えることができる。
【００３９】
本実施形態は、冷蔵庫本体３の冷蔵室５の上部の下面に、ガイド部材３５の遮蔽突起３５ｂが、下方に向けて突出ようにして設けられている。この場合、遮蔽突起３５ｂによって、冷蔵室５内の冷気の隙間Ｂへの進入を抑制してガスケット１６，１８側への進入を抑制できる。
【００４０】
本実施形態は、冷蔵室５の上部に、回転仕切体２７が回転するときのガイドとなるガイド部材３５が設けられ、ガイド部材３５に、遮蔽突起３５ｂが下方に向けて突出ようにして設けられている。この場合、ガイド部材３５を利用して遮蔽突起３５ｂを設けることができ、冷蔵庫本体３の形状変更が不要となり、冷蔵庫本体３は既存の構造を採用できる。
【００４１】
図１２は、図９、図１０に示した仕切体側下部パッキン３９の変形例を示す。図１２に示す仕切体側下部パッキン３９Ａは、パッキン本体３９ｂに、パッキン本体３９ｂの先端から係合部３９ａに向けて複数のスリット３９ｂ１を形成している。すなわち、パッキン本体３９ｂは、スリット３９ｂ１を形成することで、易変形部を備えることになる。
【００４２】
これにより、開閉扉１５を開閉する動作において、パッキン本体３９ｂが冷蔵庫本体３に接触したときに変形しやすくなり、パッキン本体３９ｂが冷蔵庫本体３に接触したときの擦れ音をより小さくすることができる。その際、パッキン本体３９ｂにスリット３９ｂ１を形成するという簡素な構成で易変形部を形成することができる。
【００４３】
図１３は、図９、図１０に示した仕切体側下部パッキン３９の他の変形例を示す。図１３に示す仕切体側下部パッキン３９Ｂは、パッキン本体３９ｂを、パッキン本体３９ｂの先端と係合部３９ａとの間を波形状として凹凸を形成している。すなわち、パッキン本体３９ｂは、凹凸を形成することで、易変形部を備えることになる。
【００４４】
これにより、開閉扉１５を開閉する動作において、パッキン本体３９ｂが冷蔵庫本体３に接触したときに変形しやすくなり、パッキン本体３９ｂが冷蔵庫本体３に接触したときの擦れ音をより小さくすることができる。その際、パッキン本体３９ｂに凹凸によって易変形部を形成することで、図１２のようにスリットを形成する場合に比較して、冷気漏れを抑制できる。
【００４５】
図１４、図１５はさらに別の例の仕切体側下部パッキン３９Ｃ，３９Ｄを示す。仕切体側下部パッキン３９Ｃ，３９Ｄは、特に係合部３９ａの形状が前述した仕切体側下部パッキン３９，３９Ａ，３９Ｂと異なっている。係合部３９ａの形状に合わせて、回転仕切体２７側の係合部３９ａとの係合形状を適宜変更する。このように、係合部３９ａの形状は特に限定されるものではなく、上記以外の形状でもよい。
【００４６】
図１６は、図５に示した遮蔽突起３５ｂを下方に延長して遮蔽突起３５ｂＡとしたものである。遮蔽突起３５ｂＡは、下面３５ｂ２の上下方向位置が仕切体側上部パッキン３７のパッキン本体３７ｂの先端よりも下方となっている。すなわち、本体側遮蔽部材としての遮蔽突起３５ｂと、仕切体側遮蔽部材としてのパッキン本体３７ｂとは、それぞれの先端側が上下方向で互いにオーバーラップしている。
【００４７】
遮蔽突起３５ｂＡは、前部傾斜面３５ｂ１が、図５の前部傾斜面３５ｂ１に比較してより傾斜が急峻で略鉛直方向に沿っており、当該前部傾斜面３５ｂ１に向けてパッキン本体３７ｂが突出している。遮蔽突起３５ｂＡは、後部傾斜面３５ｂ３が、略鉛直方向に沿っており、上部に凹曲面３５ｂ４を形成している。
【００４８】
図１６に示す実施形態は、遮蔽部材として、回転仕切体２７に設けられた仕切体側上部パッキン３７と、冷蔵庫本体３側に設けられた遮蔽突起３５ｂＡとを有し、仕切体側上部パッキン３７と遮蔽突起３５ｂＡとは、それぞれの先端側が上下方向で互いにオーバーラップしている。このため、冷蔵室５内の冷気の隙間Ｂへの進入抑制効果がより一層高まる。パッキン本体３７ｂは、遮蔽突起３５ｂに対して離間していることで、接触する場合に比較して劣化を抑制できる。
【００４９】
図１７は、パッキン本体３７ｂを、図１６に示した仕切体側上部パッキン３７に対して延長した仕切体側上部パッキン３７Ａを使用している。仕切体側上部パッキン３７Ａのパッキン本体３７ｂは、先端が遮蔽突起３５ｂＡの前部傾斜面３５ｂ１に接触している。このため、隙間Ｂに対する密閉性が高まり、冷蔵室５内の冷気の隙間Ｂへの進入をより確実に抑制できる。
【００５０】
図１８は、冷蔵室５の下部の底面５０に、上方に向けて突出ようにして下部遮蔽突起５０ａを形成している。下部遮蔽突起５０ａは、仕切体側下部パッキン３９に対し冷蔵室５の奥側の近傍に位置しており、左右方向（図１８中で紙面に直交する方向）の長さが、仕切体側下部パッキン３９と同等かやや長い。この場合、仕切体側下部パッキン３９に加えて下部遮蔽突起５０ａを設けることで、冷蔵室５内の冷気が隙間Ｃにより進入しにくくなり、冷気漏れをより確実に抑制できる。
【００５１】
なお、図１８の下部遮蔽突起５０ａを設ける場合には、仕切体側下部パッキン３９の先端を冷蔵室５の底面５０に接触させなくてもよい。この場合、仕切体側下部パッキン３９の先端（上端）と下部遮蔽突起５０ａの先端（下端）とが、上下方向で互いにオーバーラップしていればよい。
【００５２】
図１９、図２０は、冷蔵室５の底面５０に矩形で平板形状の可動遮蔽部材４３を設けた例を示している。底面５０には、可動遮蔽部材４３が入り込む凹部５０ｂを形成している。可動遮蔽部材４３は、凹部５０ｂの冷蔵庫奥側に位置する回転支持ピン４５を中心として冷蔵庫本体３に対して回転自在である。図１９、図２０は、回転仕切体２７を備える開閉扉１５が閉じられた状態であり、このとき、回転仕切体２７の下部に設けてある永久磁石からなる吸着部材４７に、磁性体からなる可動遮蔽部材４３の先端付近が吸着されている。
【００５３】
図１９、図２０の状態から開閉扉１５を開放すると、可動遮蔽部材４３は、吸着部材４７による吸着が解除され、図２１に示すように、自重により凹部５０ｂに入り込む。逆に、図２１の状態から開閉扉１５を閉じると、可動遮蔽部材４３は、吸着部材４７により吸引されて先端側が上方に移動し、図１９、図２０のように吸着部材４７に吸着される。この状態で、可動遮蔽部材４３が下部の隙間Ｃを覆うことになる。
【００５４】
図１９〜図２１に示す例は、可動遮蔽部材４３が、冷蔵庫本体３の冷蔵室５の底部において、該底部の上面（底面５０）と略同一面を形成する非遮蔽位置（図２１）と、非遮蔽位置から一部が上方に向けて突出することで隙間Ｃを覆う遮蔽位置（図１９、図２０）との間を移動自在である。可動遮蔽部材４３に対して互いに磁力により吸着自在な吸着部材４７が回転仕切体２７に設けられ、回転仕切体２７を備える開閉扉１５が閉じたときに、非遮蔽位置の可動遮蔽部材４３が、吸着部材４７に引き寄せられて吸着することで、遮蔽位置となる。
【００５５】
この場合、図１９、図２０に示す遮蔽位置にある可動遮蔽部材４３が、冷蔵室５内の冷気の隙間Ｃへの進入を抑制し、ガスケット１６，１８が冷気によって冷却されることを抑制できる。図２１の非遮蔽位置にある可動遮蔽部材４３は、凹部５０ｂに入り込んで格納され、冷蔵室５の底面５０と略同一面となる。このため、開閉扉１５を開放して冷蔵室５に対し貯蔵物を出し入れするときに、可動遮蔽部材４３が邪魔になることを抑制できる。
【００５６】
なお、可動遮蔽部材４３を永久磁石とし、吸着部材４７を磁性体としてもよく、可動遮蔽部材４３及び吸着部材４７の双方を永久磁石としてもよい。
【００５７】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５８】
例えば、上記した実施形態では、回転仕切体２７を左側の開閉扉１５に取り付けているが、回転仕切体２７を右側の開閉扉１７に取り付けてもよい。
【符号の説明】
【００５９】
１  冷蔵庫
３  冷蔵庫本体
５  冷蔵室（貯蔵室）
１５，１７  左右の開閉扉
２７  回転仕切体
３５  ガイド部材
３５ｂ，３５ｂＡ  ガイド部材の遮蔽突起（本体側遮蔽部材、遮蔽部材）
３７  仕切体側上部パッキン（仕切体側遮蔽部材、遮蔽部材）
３７ａ  仕切体側上部パッキンの係合部（取付部）
３７ｂ  仕切体側上部パッキンのパッキン本体（シール部）
３９  仕切体側下部パッキン（遮蔽部材）
３９ａ  仕切体側下部パッキンの係合部（取付部）
３９ｂ  仕切体側下部パッキンのパッキン本体（シール部）
３９ｂ１  パッキン本体のスリット
４３  可動遮蔽部材（遮蔽部材）
４７  吸着部材
５０ａ  下部遮蔽突起
Ａ  扉隙間
Ｂ，Ｃ  回転仕切体と冷蔵庫本体との間の隙間
【図１】
2019032096.tif 000003
【図２】
2019032096.tif 000004
【図３】
2019032096.tif 000005
【図４】
2019032096.tif 000006
【図５】
2019032096.tif 000007
【図６】
2019032096.tif 000008
【図７】
2019032096.tif 000009
【図８】
2019032096.tif 000010
【図９】
2019032096.tif 000011
【図１０】
2019032096.tif 000012
【図１１】
2019032096.tif 000013
【図１２】
2019032096.tif 000014
【図１３】
2019032096.tif 000015
【図１４】
2019032096.tif 000016
【図１５】
2019032096.tif 000017
【図１６】
2019032096.tif 000018
【図１７】
2019032096.tif 000019
【図１８】
2019032096.tif 000020
【図１９】
2019032096.tif 000021
【図２０】
2019032096.tif 000022
【図２１】
2019032096.tif 000023